(57)【特許請求の範囲】
【請求項１】
所定の紙幣受付口から入金対象となる紙幣を受け付けるとともに、所定のカセット装着部に装着されたカセットから補充対象となる紙幣を受け付ける紙幣受付部と、
紙幣の収納及び紙幣の繰り出しが可能な紙幣収納部と、
前記カセットから繰り出された補充対象となる紙幣の方向及び前記紙幣受付口から受け付けた入金対象となる紙幣の方向を識別する識別部と、
前記カセットから繰り出された補充対象となる紙幣の方向が所定の指定方向と異なる方向であるならば該紙幣を所定の払出口から払い出すとともに、前記指定方向であるならば前記紙幣を前記紙幣収納部に収納するよう制御し、前記紙幣受付口から受け付けた入金対象となる紙幣の方向を問わず該紙幣を前記紙幣収納部に収納するよう制御する制御部と
を備えたことを特徴とする紙幣処理装置。
【請求項２】
前記制御部は、
前記紙幣収納部に前記入金対象となる紙幣の入金に係る処理を完了した後に、前記紙幣収納部に重畳して収納された複数枚の紙幣のうち、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを前記カセットに移動させるよう制御する
ことを特徴とする請求項１に記載の紙幣処理装置。
【請求項３】
前記紙幣を取出し可能に集積する紙幣集積部をさらに備え、
前記制御部は、
前記紙幣収納部に前記入金対象となる紙幣の入金に係る処理を完了した後に、前記紙幣収納部に重畳して収納された複数枚の紙幣のうち、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを前記紙幣集積部に移動させるよう制御する
ことを特徴とする請求項１に記載の紙幣処理装置。
【請求項４】
前記制御部は、紙幣を前記紙幣収納部に入金する場合に、前記識別部により識別された紙幣の方向と該紙幣の繰出順序とを対応付けた紙幣方向データを生成して所定の記憶部に格納し、前記入金に係る処理の完了後、前記紙幣方向データを参照して、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを移動させるよう制御することを特徴とする請求項１〜３のいずれか一つに記載の紙幣処理装置。
【請求項５】
前記カセットを装着する装着部をさらに備え、
前記制御部は、
前記装着部に対して前記カセットが装着された状態で所定の操作がされたことを条件として、前記カセットから繰り出された紙幣の方向が前記指定方向と異なるならば所定の払出口から払い出し、前記指定方向であるならば前記紙幣収納部に収納するよう制御する
ことを特徴とする請求項１〜４のいずれか一つに記載の紙幣処理装置。
【請求項６】
前記制御部は、紙幣を前記紙幣収納部から出金する場合に、前記識別部により識別された紙幣の方向が前記指定方向であるならば該紙幣を前記払出口から払い出すとともに、前記指定方向と異なる方向であるならば、該紙幣を前記カセットに移動させるよう制御する
ことを特徴とする請求項１〜５のいずれか一つに記載の紙幣処理装置。
【請求項７】
紙幣の収納及び紙幣の繰り出しが可能な紙幣収納部を有する紙幣処理装置における紙幣処理方法であって、
所定の紙幣受付口から入金対象となる紙幣を受け付けるとともに、所定のカセット装着部に装着されたカセットから補充対象となる紙幣を受け付ける紙幣受付ステップと、
所定のカセット又は所定の紙幣投入口から紙幣を繰り出す繰出ステップと、
前記カセットから繰り出された補充対象となる紙幣の方向及び前記紙幣受付口から受け付けた入金対象となる紙幣の方向を識別する識別ステップと、
前記カセットから繰り出された補充対象となる紙幣の方向が所定の指定方向と異なる方向であるならば該紙幣を所定の払出口から払い出すとともに、前記指定方向であるならば前記紙幣を前記紙幣収納部に収納するよう制御し、前記紙幣受付口から受け付けた入金対象となる紙幣の方向を問わず該紙幣を前記紙幣収納部に収納するよう制御する制御ステップと
を含んだことを特徴とする紙幣処理方法。
【発明の詳細な説明】
【技術分野】
【０００１】
この発明は、装置内部に補充又は入金される紙幣の方向を効率良く揃えることができる紙幣処理装置及び紙幣処理方法に関する。
【背景技術】
【０００２】
従来、スーパーマーケットや百貨店等の商業施設には、商業施設内の各レジに釣銭機と呼ばれる貨幣処理装置が配設されている。この釣銭機は、ＰＯＳ（Point OF Sales）レジスタと接続され、レジ担当者が顧客から受け渡された貨幣を収納するとともに、顧客に返却する釣銭となる貨幣を払い出す装置である。例えば、特許文献１には、店舗の開店時に必要となる釣銭を意味する釣銭準備金が装填された貨幣カセットを釣銭機に装着して、釣銭機の内部に釣銭を補充する処理を行う点が開示されている。
【０００３】
具体的には、管理者等の担当者が釣銭機に釣銭準備金を補充する場合には、該担当者が店舗のバックヤードに配設された売上金入金機又は貨幣入出金機から釣銭準備金が装填された貨幣カセットを取り外して釣銭機の場所まで移動し、釣銭機に対して貨幣カセットを装着して、釣銭補充金を機内に取り込むことになる。
【先行技術文献】
【特許文献】
【０００４】
【特許文献１】特開２０１５−９２３２６号公報
【発明の概要】
【発明が解決しようとする課題】
【０００５】
しかしながら、上記の特許文献１に記載される釣銭機は、装置内部に貨幣の表裏反転機能や天地反転機能を有さないため、貨幣カセットに収納された各紙幣の方向にばらつきがある場合には、方向がばらついた紙幣が釣銭機の紙幣収納部に収納され、釣銭を払い出す場合に、紙幣の方向がばらついてしまう。その結果、レジ担当者が顧客に釣銭を返却する場合に、釣銭機から出金された釣銭の方向を手作業で揃える必要が生じ、レジでの精算効率の低下を招くという問題が生ずる。なお、かかる紙幣の方向には、紙幣の上面が表面となり紙幣の絵柄等が上向きとなる方向と、紙幣の上面が表面となり紙幣の絵柄等が下向きとなる方向と、紙幣の上面が裏面となり紙幣の絵柄等が上向きとなる方向と、紙幣の上面が裏面となり紙幣の絵柄等が下向きとなる方向とが含まれる。
【０００６】
特に、貨幣カセットを用いて釣銭準備金を釣銭機に補充する場合には、担当者が貨幣カセット内の紙幣に触れる機会が無いために、紙幣の方向を揃えることができず、かかる問題が顕在化する。なお、担当者が手作業で釣銭準備金を釣銭機に補充する場合には、該担当者が手作業で紙幣の方向を揃える必要が生じるため、効率的に釣銭準備金の補充を行うことができない。
【０００７】
また、かかる釣銭機では、レジ担当者が顧客から受け取った紙幣を貨幣収納部に収納し、この貨幣収納部に収納された紙幣が他の顧客の釣銭として払い出される。このため、レジ担当者は紙幣の方向を揃えて入金する必要が生ずるが、紙幣の枚数が多い場合には、レジ担当者がかかる紙幣の方向を揃える作業に時間を要し、精算処理の遅延を招くという問題もある。
【０００８】
これらのことから、表裏反転機能や天地反転機能を有さない釣銭機に紙幣を補充又は入金する場合に、該紙幣の方向をいかに効率良く揃えるかが重要な課題になっている。なお、かかる課題は、釣銭機のみならず表裏反転機能や天地反転機能を有さない各種の貨幣処理装置についても同様に生ずる課題である。
【０００９】
本発明は、上記従来技術の課題を解決するためになされたものであって、装置内部に補充又は入金される紙幣の方向を効率良く揃えることができる紙幣処理装置及び紙幣処理方法を提供することを目的とする。
【課題を解決するための手段】
【００１０】
上述した課題を解決し、目的を達成するため、本発明は、所定の紙幣受付口から入金対象となる紙幣を受け付けるとともに、所定のカセット装着部に装着されたカセットから補充対象となる紙幣を受け付ける紙幣受付部と、紙幣の収納及び紙幣の繰り出しが可能な紙幣収納部と、前記カセットから繰り出された補充対象となる紙幣の方向及び前記紙幣受付口から受け付けた入金対象となる紙幣の方向を識別する識別部と、前記カセットから繰り出された補充対象となる紙幣の方向が所定の指定方向と異なる方向であるならば該紙幣を所定の払出口から払い出すとともに、前記指定方向であるならば前記紙幣を前記紙幣収納部に収納するよう制御し、前記紙幣受付口から受け付けた入金対象となる紙幣の方向を問わず該紙幣を前記紙幣収納部に収納するよう制御する制御部とを備えたことを特徴とする。
【００１１】
また、本発明は、上記の発明において、前記制御部は、前記紙幣収納部に前記入金対象となる紙幣の入金に係る処理を完了した後に、前記紙幣収納部に重畳して収納された複数枚の紙幣のうち、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを前記カセットに移動させるよう制御することを特徴とする。
【００１３】
また、本発明は、上記の発明において、前記紙幣を取出し可能に集積する紙幣集積部をさらに備え、前記制御部は、前記紙幣収納部に前記入金対象となる紙幣の入金に係る処理を完了した後に、前記紙幣収納部に重畳して収納された複数枚の紙幣のうち、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを前記紙幣集積部に移動させるよう制御することを特徴とする。
【００１４】
また、本発明は、上記の発明において、前記制御部は、紙幣を前記紙幣収納部に入金する場合に、前記識別部により識別された紙幣の方向と該紙幣の繰出順序とを対応付けた紙幣方向データを生成して所定の記憶部に格納し、前記入金に係る処理の完了後、前記紙幣方向データを参照して、最先に繰り出される第１の紙幣と、前記指定方向と方向が異なり、かつ、前記第１の紙幣と最も離隔した位置に所在する第２の紙幣と、前記第１の紙幣と前記第２の紙幣との間に所在する全ての紙幣とを移動させるよう制御することを特徴とする。
【００１５】
また、本発明は、上記の発明において、前記カセットを装着する装着部をさらに備え、前記制御部は、前記装着部に対して前記カセットが装着された状態で所定の操作がされたことを条件として、前記カセットから繰り出された紙幣の方向が前記指定方向と異なるならば所定の払出口から払い出し、前記指定方向であるならば前記紙幣収納部に収納するよう制御することを特徴とする。
【００１６】
また、本発明は、上記の発明において、前記制御部は、紙幣を前記紙幣収納部から出金する場合に、前記識別部により識別された紙幣の方向が前記指定方向であるならば該紙幣を前記払出口から払い出すとともに、前記指定方向と異なる方向であるならば、該紙幣を前記カセットに移動させるよう制御することを特徴とする。
【００１７】
また、本発明は、紙幣の収納及び紙幣の繰り出しが可能な紙幣収納部を有する紙幣処理装置における紙幣処理方法であって、所定の紙幣受付口から入金対象となる紙幣を受け付けるとともに、所定のカセット装着部に装着されたカセットから補充対象となる紙幣を受け付ける紙幣受付ステップと、所定のカセット又は所定の紙幣投入口から紙幣を繰り出す繰出ステップと、前記カセットから繰り出された補充対象となる紙幣の方向及び前記紙幣受付口から受け付けた入金対象となる紙幣の方向を識別する識別ステップと、前記カセットから繰り出された補充対象となる紙幣の方向が所定の指定方向と異なる方向であるならば該紙幣を所定の払出口から払い出すとともに、前記指定方向であるならば前記紙幣を前記紙幣収納部に収納するよう制御し、前記紙幣受付口から受け付けた入金対象となる紙幣の方向を問わず該紙幣を前記紙幣収納部に収納するよう制御する制御ステップとを含んだことを特徴とする。
【発明の効果】
【００１８】
本発明によれば、装置内部に補充又は入金される貨幣の方向を効率良く揃えることができる。
【図面の簡単な説明】
【００１９】
【図１】図１は、本実施例に係る貨幣処理装置の概念を説明するための説明図である。
【図２】図２は、補充の動作の説明図である。
【図３】図３は、入金の動作の説明図である。
【図４】図４は、釣銭機及びＰＯＳレジスタの外観を示す斜視図である。
【図５】図５は、図４に示した釣銭機における紙幣処理ユニットの内部構成を示す図である。
【図６】図６は、図４に示した釣銭機における硬貨処理ユニットの内部構成を示す図である。
【図７】図７は、図４に示した釣銭機における包装硬貨収納ユニットの構成を示す図である。
【図８】図８は、図４に示した釣銭機及びＰＯＳレジスタの機能ブロック図である。
【図９】図９は、釣銭機による紙幣収納の処理手順を示すフローチャートである。
【図１０】図１０は、取引完了後の紙幣の搬送処理の処理手順を示すフローチャートである。
【図１１】図１１は、入出金の変形例の説明図である。
【図１２】図１２は、紙幣収納部からの紙幣の回収についての説明図である。
【図１３】図１３は、入金完了後の搬送の変形例の説明図である。
【図１４】図１４は、一時保留部を用いる場合の入金についての説明図である。
【発明を実施するための形態】
【００２０】
以下、添付図面を参照して、本発明に係る紙幣処理装置及び紙幣処理方法の好適な実施例を詳細に説明する。
【実施例】
【００２１】
＜貨幣処理装置の概念＞
まず、本実施例に係る貨幣処理装置の概念について説明する。図１〜図３は、本実施例に係る貨幣処理装置の概念を説明するための説明図である。図１に示した釣銭機２００は、スーパーマーケットやコンビニエンスストア等の商業施設の店舗において、商品棚が設置されるフロント領域のレジに設置され、商品と引き換えに顧客からレジ担当者に手渡された貨幣の入金処理を行うとともに、釣銭としての貨幣の出金処理を行う貨幣処理装置である。
【００２２】
釣銭機２００は、補充と入金とで紙幣の収納動作を切り替える。補充とは、釣銭用の貨幣を釣銭機２００内部に収納する処理である。入金とは、商品と引き換えに顧客からレジ担当者に手渡された貨幣を釣銭機２００内部に収納する処理である。図１（ａ）は補充時の動作を示し、図１（ｂ）は入金時の動作を示す。
【００２３】
釣銭機２００に補充される紙幣は、店舗のバックヤード領域に設置された貨幣入出金機により収納カセット３００に収納されている。収納カセット３００を釣銭機２００のカセット装着部２２６に装着すると、釣銭機２００は収納カセット３００内部の紙幣を一枚ずつ繰り出して釣銭機２００の内部に取り込む。
【００２４】
釣銭機２００は、取り込んだ紙幣の方向を識別し、所定の指定方向であるならば紙幣収納部に搬送して収納し、指定方向と異なる方向であるならば紙幣取出口２２２ａから払い出す。指定方向は、予め操作者により設定されており、表裏と天地の双方を指定してもよいし、表裏と天地の一方のみを指定してもよい。以降、本明細書では、識別された方向が指定方向と一致する紙幣を正方向紙幣、識別された方向が指定方向と異なる紙幣を異方向紙幣という。
【００２５】
図１では、正方向紙幣を白抜きで示し、異方向紙幣を網掛で示している。図１（ａ）に示したように、補充の動作では、正方向紙幣が選択的に紙幣収納部に搬送され、異方向紙幣は紙幣取出口２２２ａから払い出されるので、紙幣収納部における紙幣の方向を揃えることができる。また、払い出された異方向紙幣については、操作者が方向を揃えて紙幣受入口２２０ａに投入することで、正方向紙幣として紙幣収納部に収納することができる。特に、表裏又は天地の一方のみを指定している場合には、払い出された異方向紙幣を操作者が一括して反転し、紙幣受入口２２０ａに投入することで、簡易に紙幣収納部に収納することができる。
【００２６】
一方、入金の動作では、図１（ｂ）に示すように、釣銭機２００は、紙幣受入口２２０ａに投入された紙幣をその方向に関わらず紙幣収納部に搬送する。取引中に異方向紙幣を払い出し、再度の投入を行わせることとすると、取引に要する時間が長くなり、精算処理の遅延を招くためである。
【００２７】
図２は、補充の動作の説明図である。図２（ａ）に示すように、釣銭機２００は、紙幣受入部２２０、紙幣払出部２２２、識別部２３２、紙幣収納部２３４、２３６、２３８を有する。紙幣収納部２３４、２３６、２３８は、紙幣の金種に対応してそれぞれ設けられている。
【００２８】
補充用の紙幣を収納された収納カセット３００が装着されると、釣銭機２００は、収納カセット３００から紙幣を一枚ずつ繰り出し、識別部２３２により金種及び方向を識別する。そして、識別した方向が指定方向と一致する正方向紙幣については、識別した金種に応じて紙幣収納部２３４、２３６、２３８のいずれかに搬送する。また、識別した方向が指定方向と異なる異方向紙幣については紙幣払出部２２２に搬送する。紙幣払出部２２２は既に説明した紙幣取出口２２２ａを有し、操作者は紙幣取出口２２２ａから紙幣を取り出すことができる。
【００２９】
また、補充の動作では、紙幣受入口２２０ａから紙幣受入部２２０に投入された紙幣についても、一枚ずつ繰り出して識別部２３２により金種及び方向を識別する。そして、識別した方向が指定方向と一致する正方向紙幣であれば金種に応じた紙幣収納部２３４、２３６、２３８に搬送し、識別した方向が指定方向と異なる異方向紙幣であれば紙幣払出部２２２に搬送する。
【００３０】
このため、操作者は紙幣取出口２２２ａから取り出した紙幣の方向を揃え、紙幣受入口２２０ａから紙幣受入部２２０に投入することで、正方向紙幣として紙幣収納部２３４、２３６、２３８に収納することができる。
【００３１】
図３は、入金の動作の説明図である。図３（ｂ１）に示すように、釣銭機２００は、紙幣受入口２２０ａから紙幣受入部２２０に投入された紙幣を一枚ずつ繰り出し、識別部２３２により金種及び方向を識別する。そして、取り込み順と方向の識別結果とを対応付けて収納データ２０８ａに格納した上で、紙幣収納部２３４、２３６、２３８に搬送する。
【００３２】
図３（ｂ１）では、同一金種の５枚の紙幣が投入され、２枚目に取り込んだ紙幣が異方向紙幣であり、他の紙幣は正方向紙幣である状態を示している。このため、収納データ２０８ａでは、取り込み順序が２枚目であることを示す「＃２」に「ＮＧ」が対応付けられ、「＃１、＃３〜＃５」に「ＯＫ」が対応付けられている。なお、収納データ２０８ａは、紙幣収納部２３４、２３６、２３８についてそれぞれ設ける。
【００３３】
釣銭機２００は、入金の完了後、収納データ２０８ａを参照して異方向紙幣を収納カセット３００に搬送する（ｂ２）。具体的には、入金に係る取引の完了後に搬送制御部２０６が収納データ２０８ａを参照し、異方向紙幣が存在するならば、異方向紙幣が収納カセット３００に搬送されるまで、紙幣収納部２３４、２３６、２３８に収納された紙幣を一枚ずつ繰り出して収納カセット３００に搬送する。
【００３４】
図３（ｂ２）では、異方向紙幣を取り込んだ後、取り込み順「＃３〜＃５」の３枚の紙幣が取り込まれている。このため、取り込み順「＃５」の紙幣から順次収納カセット３００に搬送し、取り込み順「＃５〜＃２」の４枚の紙幣が収納カセット３００に収納されることになる。かかる搬送の結果、収納カセット３００には異方向紙幣を含む紙幣が収納され、紙幣収納部２３４、２３６、２３８には正方向紙幣のみが収納されることになる。
【００３５】
このように、本実施例に係る貨幣処理装置である釣銭機２００は、収納カセット３００又は紙幣受入部２２０から繰り出された貨幣の方向を識別部２３２により識別する。そして、紙幣を補充する場合には、識別された方向が指定方向と異なる異方向紙幣を紙幣取出口２２２ａから払い出し、識別された方向が指定方向と一致する正方向紙幣を紙幣収納部２３４、２３６、２３８に収納する。一方、紙幣を入金する場合には、正方向紙幣であるか異方向紙幣であるかを問わず紙幣収納部２３４、２３６、２３８に収納する。このため、釣銭機２００内部に補充又は入金される紙幣の方向を効率良く揃えることができる。
【００３６】
また、入金後、紙幣収納部２３４、２３６、２３８に重畳して収納された紙幣に異方向紙幣が含まれている場合には、最先に繰り出される紙幣から異方向紙幣までを収納カセット３００に移動させるので、紙幣収納部２３４、２３６、２３８には正方向紙幣が選択的に収納された状態となる。釣銭の出金は紙幣収納部２３４、２３６、２３８から行われるため、釣銭としては正方向紙幣のみを出金することが可能である。
【００３７】
＜釣銭機２００の構成＞
次に、釣銭機２００の詳細な構成について図４〜図８を用いて説明する。図４等に示すように、本実施例による釣銭機２００は、上下に並ぶよう配置された硬貨処理ユニット２５０及び包装硬貨収納ユニット２８０と、これらの硬貨処理ユニット２５０や包装硬貨収納ユニット２８０の隣に並ぶよう配置された紙幣処理ユニット２１０とを備えており、紙幣処理ユニット２１０や硬貨処理ユニット２５０の上方にはＰＯＳレジスタ２９０が載置される。紙幣処理ユニット２１０及び硬貨処理ユニット２５０は、それぞれ硬貨や紙幣の入出金処理を行う。また、包装硬貨収納ユニット２８０は、各金種の包装硬貨を取り出し可能に収納する。また、ＰＯＳレジスタ２９０は、釣銭機２００の管理を行う管理装置として用いられる。
【００３８】
まず、紙幣処理ユニット２１０の構成について図４及び図５を用いて具体的に説明する。図４及び図５に示すように、紙幣処理ユニット２１０は、略直方体形状の筐体２１２と、筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備えている。なお、図５において、筐体２１２の右側の側面が紙幣処理ユニット２１０の手前側の面であり、図５における左向きの方向が紙幣処理ユニット２１０の奥行き方向である。
【００３９】
図５に示すように、搬送部２３０は、筐体２１２の中央位置に配置された周回搬送部２３０ａ及び複数の接続搬送部２３０ｂから構成されている。また、紙幣受入部２２０、紙幣払出部２２２、出金リジェクト部２２４、収納カセット３００を着脱自在に装着可能なカセット装着部２２６及び３つの紙幣収納部２３４、２３６、２３８が、それぞれ周回搬送部２３０ａを取り囲むよう配置されている。
【００４０】
また、図５に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、方向（表裏及び天地）、搬送状態等の識別を行う。
【００４１】
周回搬送部２３０ａは、図５における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００４２】
図４及び図５に示すように、筐体２１２の前面には、紙幣受入部２２０の紙幣受入口２２０ａと、紙幣払出部２２２の紙幣取出口２２２ａとがそれぞれ設けられている。また、カセット装着部２２６の前面側には扉２２６ａが設けられており、この扉２２６ａを開くことにより収納カセット３００をカセット装着部２２６に装着させたり、このカセット装着部２２６から収納カセット３００を取り出したりすることができる。
【００４３】
また、図８に示すように、カセット装着部２２６には、当該カセット装着部２２６に装着された収納カセット３００に設けられているＩＣタグ３０４に様々な情報を書き込む書込部２２８及び当該ＩＣタグ３０４から様々な情報を読み取る読取部２２９がそれぞれ設けられている。
【００４４】
紙幣受入部２２０には紙幣繰出機構２２１が設けられており、紙幣受入口２２０ａに１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００４５】
紙幣払出部２２２は、各紙幣収納部２３４、２３６、２３８から周回搬送部２３０ａに繰り出された紙幣を紙幣取出口２２２ａにより筐体２１２の外部へ放出するよう構成されている。
【００４６】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２０から筐体２１２の内部に取り込まれた紙幣のうち、入金処理時において汚損等により識別部２３２で識別することができない紙幣は、入金リジェクト紙幣として紙幣払出部２２２に返却される。
【００４７】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には二千円札及び五千円札が混合状態で収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００４８】
次に、硬貨処理ユニット２５０の構成について説明する。図４及び図６に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００４９】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図８参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図６に示すように、硬貨受入部２５２には、当該硬貨受入部２５２により筐体２５１の内部に繰り出された硬貨を搬送する入金搬送部２５４が接続されている。
【００５０】
図６に示すように、入金搬送部２５４の途中には、硬貨の金種、真偽、正損、方向（表裏及び天地）、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００５１】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図６における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００５２】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００５３】
次に、包装硬貨収納ユニット２８０の構成について具体的に説明する。図４及び図７に示すように、包装硬貨収納ユニット２８０は、手前側の側面が開口している略直方体形状の筐体２８１と、筐体２８１内に収容可能であるとともに当該筐体２８１から手前側に引き出し可能な収納ドロア２８２とを備えており、収納ドロア２８２には各金種の包装硬貨が例えば２列で収納される（図７において、収納ドロア２８２に収納された各金種の包装硬貨を斜線で示している）。
【００５４】
ここで、収納ドロア２８２には、包装硬貨を１本ずつ収納する収納部（ポケット）が複数個形成されており、各収納部に収納される包装硬貨の金種毎の収納本数及び位置が予め設定されている。具体的には、図７において参照符号Ａで示す領域には８本の１００円の包装硬貨が収納可能であり、参照符号Ｂで示す領域には１本の５００円の包装硬貨が収納可能であり、参照符号Ｃで示す領域には１本の５０円の包装硬貨が収納可能である。また、図７において参照符号Ｄで示す領域には６本の１０円の包装硬貨が収納可能であり、参照符号Ｅで示す領域には４本の１円の包装硬貨が収納可能であり、参照符号Ｆで示す領域には１本の５円の包装硬貨が収納可能である。
【００５５】
また、図８に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられている。ここで、ロック機構２８６が収納ドロア２８２を筐体２８１の内部にロックしたときには、この収納ドロア２８２を筐体２８１から手前側に引き出すことができなくなり、よって収納ドロア２８２から包装硬貨を取り出すことができなくなる。
【００５６】
また、包装硬貨収納ユニット２８０の筐体２８１における前面開口の近傍には、収納ドロア２８２が筐体２８１から手前側に引き出されたり筐体２８１の内部に戻されたりする際に、当該収納ドロア２８２に収納されている包装硬貨の金種毎の本数を検知する検知部２８４が設けられている。具体的には、図７等に示すように、検知部２８４は左右一対の光センサ２８４ａ及び筐体２８１からの収納ドロア２８２の引き出し量を検知するロータリエンコーダ２８４ｂを有している。
【００５７】
ここで、各光センサ２８４ａは、発光素子及び受光素子を有しており、発光素子から発せられた光は、包装硬貨収納ユニット２８０の幅方向（図７における左右方向）に延びる光軸を通って受光素子に送られる。そして、収納ドロア２８２が筐体２８１の内部に完全に収容されていたり当該収納ドロア２８２が筐体２８１から完全に引き出されたりしているときには、各光センサ２８４ａにおいて発光素子から発せられた光は受光素子により受けられる。一方、収納ドロア２８２が筐体２８１から手前側に引き出されたり筐体２８１の内部に戻されたりする際に、発光素子から発せられた光が収納ドロア２８２内に収納された包装硬貨により遮られることにより受光素子に届かなくなり、このことにより包装硬貨の孔の有無や直径の大きさが検知される。
【００５８】
前述したように、収納ドロア２８２において、収納される包装硬貨の金種毎の収納本数及び位置が予め設定されているため、光センサ２８４ａにより検知された包装硬貨の孔の有無や直径の大きさ、ならびにロータリエンコーダ２８４ｂにより検知された筐体２８１からの収納ドロア２８２の引き出し量に基づいて、収納ドロア２８２に収納された包装硬貨の金種毎の本数、及び各包装硬貨が収納ドロア２８２内の所定の位置に正しく収納されているか否か等が検知される。
【００５９】
なお、本実施例による包装硬貨収納ユニット２８０は上記の構成のものに限定されることはない。他の構成の包装硬貨収納ユニット２８０において、収納ドロア２８２に収納されている包装硬貨の金種毎の本数を検知する検知部２８４として、収納ドロア２８２の収納部に収納される包装硬貨の有無及び金種（材質）を検出するセンサを全ての収納部に配置するような方式のものが用いられてもよい。
【００６０】
＜ＰＯＳレジスタの構成＞
次に、ＰＯＳレジスタ２９０の構成について具体的に説明する。図４及び図８に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを備えている。
【００６１】
操作部２９４は、操作者が操作することができるようになっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納されている紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるようになっていてもよい。
【００６２】
また、ＰＯＳレジスタ２９０には、カードリーダ２９６及び印字部２９７が設けられている（図８参照、図４では図示せず）。カードリーダ２９６は、レジ担当者等の操作者が携帯するＩＤカードを読み取ることにより、当該操作者のＩＤや権限等に関する情報を取得する。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【００６３】
＜釣銭機２００の制御系の構成＞
次に、釣銭機２００の制御系の構成について図８を用いて説明する。図８に示すように、硬貨処理ユニット２５０は、上位制御部２０２及び硬貨制御部２５０ａを有しており、これらの上位制御部２０２及び硬貨制御部２５０ａは互いに接続されている。
【００６４】
また、紙幣処理ユニット２１０は紙幣制御部２１０ａを有しており、この紙幣制御部２１０ａは硬貨処理ユニット２５０の上位制御部２０２に接続されている。また、包装硬貨収納ユニット２８０は包装硬貨制御部２８０ａを有しており、この包装硬貨制御部２８０ａは硬貨処理ユニット２５０の上位制御部２０２に接続されている。また、ＰＯＳレジスタ２９０に設けられたＰＯＳ制御部２９１も硬貨処理ユニット２５０の上位制御部２０２に接続されている。また、図示していないが、ＰＯＳレジスタ２９０のＰＯＳ制御部２９１は店舗サーバ等の上位端末と通信可能に接続されている。
【００６５】
図８に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、操作表示部２０４、搬送制御部２０５及び記憶部２０８がそれぞれ接続されている。
【００６６】
この上位制御部２０２は、通信部２０３により、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【００６７】
操作表示部２０４は、硬貨処理ユニット２５０の筐体２５１の上面に設けられたタッチパネル等からなり、操作者が操作するための操作画面や、紙幣処理ユニット２１０、硬貨処理ユニット２５０及び包装硬貨収納ユニット２８０の各々に収納されている貨幣の在高に係る情報が操作表示部２０４に表示される。このような操作表示部２０４において、操作者は、操作画面における操作ボタンに指を触れることによって、上位制御部２０２に様々な指令を入力することができる。
【００６８】
搬送制御部２０５は、既に説明したように、釣銭の補充を行う場合には、収納カセット３００又は紙幣受入部２２０から紙幣を一枚ずつ繰り出し、識別部２３２による識別結果に応じて、異方向紙幣を紙幣取出口２２２ａから払い出し、正方向紙幣を紙幣収納部２３４、２３６、２３８に収納する。
【００６９】
また、取引時に紙幣を入金する場合には、搬送制御部２０５は、紙幣受入部２２０から紙幣を一枚ずつ繰り出し、取り込み順と方向の識別結果とを対応付けて収納データ２０８ａに格納した上で、紙幣収納部２３４、２３６、２３８に搬送する。そして、入金にかかる取引の完了後、搬送制御部２０５は収納データ２０８ａを参照し、紙幣収納部２３４、２３６、２３８に収納された紙幣に異方向紙幣が含まれている場合には、最先に繰り出される紙幣から異方向紙幣までを収納カセット３００に移動させる。
【００７０】
また、搬送制御部２０５は、収納カセット３００から貨幣を繰り出して収納した場合に、収納カセット３００に設けられたＩＣタグ３０４から読取部２２９により読み取られた出金データに示された金種毎の枚数と、収納カセット３００から繰り出した貨幣の金種別の枚数とを比較する。
【００７１】
さらに、収納カセット３００に収納されず、貨幣入出金機から現金で出金された釣銭補充金に関する情報がＩＣタグ３０４から読み取った出金データに含まれていた場合には、搬送制御部２０５は、現金での補充を受け付けるとともに、補充された貨幣の金種別の枚数をＩＣタグ３０４から出金データと比較する。
【００７２】
例えば、包装硬貨については、包装硬貨収納ユニット２８０の収納ドロア２８２への包装硬貨の金種毎の補充本数を検知部２８４により検知し、出金データに示された包装硬貨の金種毎の本数と一致するか否かを判定することになる。
【００７３】
出金データに示された金種別の枚数と、釣銭機２００に補充された貨幣の金種別枚数とが一致したならば、搬送制御部２０５は、記憶部２０８に記憶された在高を更新し、釣銭機２００を用いた商品の精算処理が可能な状態に復帰する。なお、不一致となった場合には、操作表示部２０４への表示出力などにより報知を行う。この場合には、釣銭機２００を用いた商品の精算処理を停止させてもよい。また、釣銭機２００が受け付けた貨幣の金種別枚数に基づいて在高を更新し、商品の精算処理が可能な状態に復帰してもよい。
【００７４】
記憶部２０８には、紙幣処理ユニット２１０、硬貨処理ユニット２５０及び包装硬貨収納ユニット２８０の各々に収納されている貨幣の在高に係る情報や、釣銭機２００における貨幣の処理履歴等の様々な情報が記憶される。さらに、記憶部２０８は、取り込み順と方向の識別結果とを対応付けた収納データ２０８ａを記憶する。
【００７５】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６、書込部２２８、読取部２２９等が接続されており、識別部２３２による紙幣の識別情報や、収納カセット３００に設けられたＩＣタグ３０４から読取部２２９により読み取られた情報が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【００７６】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続されており、識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【００７７】
また、包装硬貨収納ユニット２８０の包装硬貨制御部２８０ａには、通信部２８９、検知部２８４、ロック機構２８６及び記憶部２８８等が接続されており、検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【００７８】
また、ＰＯＳレジスタ２９０のＰＯＳ制御部２９１には、表示部２９３、操作部２９４、記憶部２９５、通信部２９２、カードリーダ２９６、印字部２９７等がそれぞれ通信可能に接続されており、操作者により操作部２９４に入力された指令が当該操作部２９４からＰＯＳ制御部２９１に送られたり、カードリーダ２９６により読み取られたレジ担当者等の操作者のＩＤカードに係る情報がＰＯＳ制御部２９１に送られる。
【００７９】
ＰＯＳ制御部２９１は、表示部２９３に指令を送ることにより、当該表示部２９３に様々な情報を表示させる。なお、ＰＯＳ制御部２９１は、表示部２９３に様々な情報を表示させる代わりに、あるいは表示部２９３における表示に加えて、追加の表示部２９３ａにおいて表示を行わせることもできる。
【００８０】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【００８１】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【００８２】
＜紙幣収納の処理手順＞
次に、釣銭機２００による紙幣収納の処理手順について説明する。図９は、釣銭機２００による紙幣収納の処理手順を示すフローチャートである。この処理手順は、収納カセット３００の装着を検知した場合、若しくは紙幣受入部２２０への紙幣の投入を受け付けた場合に開始する。
【００８３】
処理が開始されると、釣銭機２００の搬送制御部２０５は、補充を開始するか否かを判定する（ステップＳ１０１）。例えば、補充開始を示す操作を受け付けた場合には、補充を開始すると判定することになる。また、収納カセット３００の装着時には、自動的に補充を開始すると判定してもよい。
【００８４】
補充を開始すると判定したならば（ステップＳ１０１；Ｙｅｓ）、搬送制御部２０５は、収納カセット３００又は紙幣受入部２２０から紙幣を一枚繰り出す（ステップＳ１０２）。繰り出された紙幣は、識別部２３２により方向の識別が行われる（ステップＳ１０３）。
【００８５】
識別の結果、正方向紙幣であるならば（ステップＳ１０４；Ｙｅｓ）、搬送制御部２０５は、金種に応じた紙幣収納部２３４、２３６、２３８に正方向紙幣を搬送して収納する（ステップＳ１０５）。一方、異方向紙幣であるならば（ステップＳ１０４；Ｎｏ）、搬送制御部２０５は、紙幣を紙幣払出部２２２に搬送して紙幣取出口２２２ａから払い出す（ステップＳ１０６）。
【００８６】
ステップＳ１０５又はステップＳ１０６の後、搬送制御部２０５は、全ての紙幣を繰り出し済であるか否かを判定する（ステップＳ１０７）。繰り出していない紙幣が収納カセット３００又は紙幣受入部２２０に残っていれば（ステップＳ１０７；Ｎｏ）、ステップＳ１０２に移行し、次の紙幣を繰り出す。そして、全ての紙幣を繰り出したならば（ステップＳ１０７；Ｙｅｓ）、処理を終了する。
【００８７】
補充開始と判定しない場合（ステップＳ１０１；Ｎｏ）、搬送制御部２０５は、入金を開始する否かを判定する（ステップＳ１０８）。例えば、入金開始を示す操作を受け付けた場合には、入金を開始すると判定することになる。また、ＰＯＳレジスタ２９０から取引中であることを示す信号を受け付けている場合には、入金を開始すると判定してもよい。
【００８８】
入金を開始すると判定しなければ（ステップＳ１０８；Ｎｏ）、搬送制御部２０５は、そのまま処理を終了する。入金を開始すると判定したならば（ステップＳ１０８；Ｙｅｓ）、搬送制御部２０５は、紙幣受入部２２０から紙幣を一枚繰り出す（ステップＳ１０９）。繰り出された紙幣は、識別部２３２により方向の識別が行われる（ステップＳ１１０）。
【００８９】
搬送制御部２０５は、取り込み順と方向の識別結果とを対応付けて収納データ２０８ａを生成し、記憶部２０８に記憶させる（ステップＳ１１１）。その後、金種に応じた紙幣収納部２３４、２３６、２３８に紙幣を搬送して収納する（ステップＳ１１２）
【００９０】
ステップＳ１１２の後、搬送制御部２０５は、全ての紙幣を繰り出し済であるか否かを判定する（ステップＳ１１３）。繰り出していない紙幣が紙幣受入部２２０に残っていれば（ステップＳ１１３；Ｎｏ）、ステップＳ１０９に移行し、次の紙幣を繰り出す。そして、全ての紙幣を繰り出したならば（ステップＳ１１３；Ｙｅｓ）、処理を終了する。
【００９１】
次に、取引完了後の紙幣の搬送処理について説明する。図１０は、取引完了後の紙幣の搬送処理の処理手順を示すフローチャートである。搬送制御部２０５は、まず、取引が完了したか否かを判定する（ステップＳ２０１）。その結果、取引が完了していなければ（ステップＳ２０１；Ｎｏ）、そのまま処理を終了する。
【００９２】
取引が完了したならば（ステップＳ２０１；Ｙｅｓ）、搬送制御部２０５は、記憶部２０８から収納データ２０８ａを読み出す（ステップＳ２０２）。搬送制御部２０５は、読み出した収納データ２０８ａを参照し、紙幣収納部２３４、２３６、２３８に異方向紙幣が収納されているか否かを判定する（ステップＳ２０３）。その結果、紙幣収納部２３４、２３６、２３８に異方向紙幣が収納されていなければ（ステップＳ２０３；Ｎｏ）、そのまま処理を終了する。
【００９３】
紙幣収納部２３４、２３６、２３８に異方向紙幣が収納されているならば（ステップＳ２０３；Ｙｅｓ）、搬送制御部２０５は、収納カセット３００に搬送すべき紙幣の枚数を特定する（ステップＳ２０４）。具体的には、最先に出金される紙幣から、異方向紙幣のうち最先に出金される紙幣と最も離隔した位置に所在する紙幣までの紙幣の枚数を搬送すべき紙幣の枚数として特定する。なお、収納データ２０８ａは紙幣収納部２３４、２３６、２３８についてそれぞれ設けられており、複数の紙幣収納部に異方向紙幣が収納されていれば、紙幣収納部ごとに搬送すべき紙幣の枚数を特定することになる。搬送制御部２０５は、特定した枚数の紙幣を紙幣収納部２３４、２３６、２３８から収納カセット３００に搬送し（ステップＳ２０５）、処理を終了する。
【００９４】
＜入出金の変形例＞
次に、入出金の変形例について説明する。図１１は、入出金の変形例の説明図である。図１〜図１０までの説明では、入金完了後に異方向紙幣を収納カセット３００に搬送する構成を示したが、出金時に異方向紙幣を収納カセット３００に搬送してもよい。また、この場合には、入金時における紙幣の方向の記憶は必須ではない。
【００９５】
具体的には、まず、図１１（ｂ１）に示すように、紙幣受入口２２０ａから紙幣受入部２２０に投入された紙幣を一枚ずつ繰り出し、金種に応じた紙幣収納部２３４、２３６、２３８に搬送して収納する。
【００９６】
その後、釣銭の出金が発生したときに、図１１（ｂ２）に示すように出金のために繰り出した紙幣の方向を識別部２３２により識別し、異方向紙幣であれば収納カセット３００に搬送して収納し、正方向紙幣であれば紙幣払出部２２２に搬送して払い出す。この変形例であっても、釣銭として払い出される紙幣は全て正方向紙幣となり、異方向紙幣を収納カセット３００に収納することができる。
【００９７】
なお、図１１では、入金時における紙幣の方向の記憶を行わないこととしたが、入金時には図３などと同様に紙幣の方向を収納データ２０８ａとして記憶しておき、出金時に収納データ２０８ａを参照して収納カセット３００に搬送するか紙幣払出部２２２に搬送するかを決定してもよい。
【００９８】
また、入金に係る取引の完了後の異方向紙幣の搬送を行わず、出金時の搬送のみで異方向紙幣を収納カセット３００に搬送してもよいが、入金に係る取引の完了後の異方向紙幣の搬送と出金時の異方向紙幣の搬送を組み合わせて用いてもよい。
【００９９】
例えば、取引が連続して発生し、取引完了後の異方向紙幣の搬送を行うことなく次の取引を開始した場合には、釣銭の出金時に異方向紙幣の搬送を行い、一連の取引が完了した場合に取引完了後の異方向紙幣の搬送を行うことができる。
【０１００】
＜紙幣回収の処理＞
次に、紙幣収納部からの紙幣の回収について説明する。図１２は、紙幣収納部からの紙幣の回収についての説明図である。店舗の閉店時などには、紙幣収納部２３４、２３６、２３８に収納された紙幣を収納カセット３００に移動させ、売上金として回収することになる。
【０１０１】
釣銭機２００は、紙幣収納部２３４、２３６、２３８を回収する場合に、紙幣の方向を問わずに全て収納カセット３００に移動させるか、特定方向の紙幣を選択的に収納カセット３００に移動させるかを切り替えることができる。
【０１０２】
図１２（ｃ１）は、紙幣の方向を問わずに全て収納カセット３００に移動させる場合を示している。この場合には、紙幣収納部２３４、２３６、２３８に正方向紙幣と異方向紙幣とが混在していれば、収納カセット３００においても正方向紙幣と異方向紙幣が混在した状態で回収が行われることになる。
【０１０３】
図１２（ｃ２）は、異方向紙幣を選択的に収納カセット３００に移動させる場合を示している。この場合には、紙幣収納部２３４、２３６、２３８から繰り出した紙幣の方向を識別部２３２により識別し、異方向紙幣（＃２）は収納カセット３００に搬送し、正方向紙幣（＃１、＃３〜＃５）は紙幣払出部２２２に搬送する。
【０１０４】
図１１（ｂ２）に示した出金時の異方向紙幣の搬送を用いていれば、収納カセット３００には異方向紙幣のみが収納されているため、異方向紙幣を選択的に収納カセット３００に搬送することで、収納カセット３００の紙幣を異方向紙幣で揃えることができる。また、操作者は紙幣取出口２２２ａから取り出した正方向紙幣を一括して反転し、紙幣受入口２２０ａに投入することで、異方向紙幣として収納カセット３００に収納することができる。ここで、指定方向として表裏又は天地の一方のみを指定している場合には、収納カセット３００に収納された異方向紙幣を一括して反転すれば、全て正方向紙幣とすることが可能である。
【０１０５】
なお、図１２（ｃ２）では、回収のための搬送中に識別部２３２による識別を行う場合を示したが、収納データ２０８ａを参照して収納カセット３００に搬送するか紙幣払出部２２２に搬送するかを決定してもよい。
【０１０６】
＜入金完了後の搬送の変形例＞
次に、入金完了後の搬送の変形例について説明する。図１３は、入金完了後の搬送の変形例の説明図である。図１〜図１０までの説明では、入金完了後に異方向紙幣を収納カセット３００に搬送する構成を示したが、入金完了後に異方向紙幣を出金リジェクト部２２４に搬送して集積してもよい。
【０１０７】
具体的には、図３（ｂ１）に示した入金の完了後、図１３に示すように、搬送制御部２０６が収納データ２０８ａを参照し、異方向紙幣が存在するならば、異方向紙幣が全て出金リジェクト部２２４に搬送されるまで、紙幣収納部２３４、２３６、２３８に収納された紙幣を一枚ずつ繰り出して出金リジェクト部２２４に搬送する。
【０１０８】
図１３では、異方向紙幣を取り込んだ後、取り込み順「＃３〜＃５」の３枚の紙幣が取り込まれている。このため、取り込み順「＃５」の紙幣から出金リジェクト部２２４に搬送し、取り込み順「＃５〜＃２」の４枚の紙幣が出金リジェクト部２２４に集積されることになる。
【０１０９】
搬送制御部２０６は、出金リジェクト部２２４に集積された紙幣の数が所定数に達した場合に、操作者に報知を行う。かかる報知を受けた操作者は、出金リジェクト部２２４から紙幣を取り出し、方向を揃えて紙幣受入部２２０に投入することで、正方向紙幣として紙幣収納部２３４、２３６、２３８に収納することができる。
【０１１０】
なお、図１３では、入金完了後の異方向紙幣の搬送先として出金リジェクト部２２４を用いる場合を示したが、出金時の異方向紙幣の搬送先として出金リジェクト部２２４を用いることも可能である。
【０１１１】
＜一時保留部を用いる変形例＞
図１４は、一時保留部を用いる場合の入金についての説明図である。図１４に示した構成では、釣銭機２００は、入金された紙幣を一時的に収納する一時保留部２３４ａを有している。この構成では、取引時に入金された紙幣は、まず、一時保留部２３４ａに収納され、入金の確定前にキャンセル操作が行われると、一時保留部２３４ａに収納された紙幣は全て紙幣払出部２２２に搬送される。そして、入金の確定が行われた場合に、各紙幣は対応する紙幣収納部２３４、２３６，２３８に収納される。その後の処理については、図３、図１１、図１３などに示した処理と同様に行えばよい。
【０１１２】
上述してきたように、本実施例に係る貨幣処理装置である釣銭機２００は、収納カセット３００又は紙幣受入部２２０から繰り出された貨幣の方向を識別部２３２により識別する。そして、紙幣を補充する場合には、識別された方向が指定方向と異なる異方向紙幣を紙幣取出口２２２ａから払い出し、識別された方向が指定方向と一致する正方向紙幣を紙幣収納部２３４、２３６、２３８に収納する。一方、紙幣を入金する場合には、正方向紙幣であるか異方向紙幣であるかを問わず紙幣収納部２３４、２３６、２３８に収納する。このため、釣銭機２００内部に補充又は入金される紙幣の方向を効率良く揃えることができる。
【０１１３】
また、入金後、紙幣収納部２３４、２３６、２３８に重畳して収納された紙幣に異方向紙幣が含まれている場合には、最先に繰り出される紙幣から異方向紙幣までを収納カセット３００に移動させるので、紙幣収納部２３４、２３６、２３８には正方向紙幣が選択的に収納された状態となる。釣銭の出金は紙幣収納部２３４、２３６、２３８から行われるため、釣銭としては正方向紙幣のみを出金することが可能である。
【０１１４】
なお、上述した貨幣処理システム、及びこのような貨幣処理システムに設けられた貨幣処理装置や釣銭機は、上述したような態様に限定されることはなく、様々な変更を加えることができる。
【０１１５】
例えば、入金時に異方向紙幣を直接収納カセット３００に搬送し、正方向紙幣を紙幣収納部２３４、２３６、２３８に搬送するよう制御してもよい。また、入金時に異方向紙幣が紙幣収納部２３４、２３６、２３８に収納された時点で紙幣の繰り出しを停止し、異方向紙幣を紙幣収納部２３４、２３６、２３８から収納カセット３００に搬送した上で紙幣の繰り出しを再開してもよい。
【０１１６】
また、上記の実施例では、本発明を釣銭機に適用した場合を示したが、本発明はこれに限定されるものではなく、各種の貨幣処理装置に適用することができる。
【産業上の利用可能性】
【０１１７】
本発明の紙幣処理装置及び紙幣処理方法は、装置内部に補充又は入金される紙幣の方向を効率良く揃えることに有用である。
【符号の説明】
【０１１８】
２００    釣銭機
２０２    上位制御部
２０３    通信部
２０４    操作表示部
２０５    搬送制御部
２０８    記憶部
２０８ａ  収納データ
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２２８    書込部
２２９    読取部
２３０    搬送部
２３０ａ  周回搬送部
２３０ｂ  接続搬送部
２３２    識別部
２３４、２３６、２３８  紙幣収納部
２３４ａ  一時保留部
２３５、２３７、２３９  紙幣繰出機構
２４０    通信部
２５０    硬貨処理ユニット
２５０ａ  硬貨制御部
２５２    硬貨受入部
２５３    硬貨繰出機構
２５４    入金搬送部
２５６    識別部
２５８    分岐部
２６０    収納繰出部
２６２    出金搬送部
２６６    硬貨払出部
２８０    包装硬貨収納ユニット
２８０ａ  包装硬貨制御部
２８２    収納ドロア
２８４    検知部
２８４ａ  光センサ
２８４ｂ  ロータリエンコーダ
２８６    ロック機構
２８８    記憶部
２８９    通信部
２９０    ＰＯＳレジスタ
２９１    ＰＯＳ制御部
２９２    通信部
２９３    表示部
２９４    操作部
２９５    記憶部
２９６    カードリーダ
２９７    印字部
３００    収納カセット
【図１】
0006734126.tif 000002
【図２】
0006734126.tif 000003
【図３】
0006734126.tif 000004
【図４】
0006734126.tif 000005
【図５】
0006734126.tif 000006
【図６】
0006734126.tif 000007
【図７】
0006734126.tif 000008
【図８】
0006734126.tif 000009
【図９】
0006734126.tif 000010
【図１０】
0006734126.tif 000011
【図１１】
0006734126.tif 000012
【図１２】
0006734126.tif 000013
【図１３】
0006734126.tif 000014
【図１４】
0006734126.tif 000015